(57)【要約】【課題】外壁部から延出部材が延出して設けられる建物において適正なる止水性能を付加する。【解決手段】外壁材２５は中空構造をなすものであり、上下及び左右に並べて配置されている。あらわし梁２１は、複数の外壁材２５の間を通して、外壁材２５の外壁面に交差する方向に延びるようにして設けられている。外壁材２５には、あらわし梁２１が配置される切欠部２８が形成されている。あらわし梁２１には、それを囲む周囲部分に二次止水材６０が取り付けられており、二次止水材６０は、あらわし梁２１が切欠部２８に配置された状態において外壁材２５の背面の側に当接した状態で設けられている。【選択図】      図４
2015094157.tif 000002
【特許請求の範囲】
【請求項１】
壁部において複数の外壁部材が上下又は左右の少なくともいずれかに並べて配置され、それら外壁部材の間を通して、前記外壁部材の外壁面に交差する方向に延びるようにして延出部材が設けられており、前記壁部において壁内部となる位置で水の流下が可能となっている建物の壁構造であって、
前記外壁部材には、前記延出部材が配置される凹所が形成され、
前記延出部材には、該延出部材を囲む周囲部分に止水部材が取り付けられ、
前記延出部材が前記凹所に配置された状態において、前記止水部材が、前記外壁部材の背面の側に当接した状態で設けられていることを特徴とする建物の壁構造。
【請求項２】
前記延出部材において前記外壁部材の背後側となる位置には、前記延出部材の周囲に向けて起立する起立部が設けられており、
前記止水部材は、前記外壁部材の背面と前記起立部とに挟まれた状態で設けられていることを特徴とする請求項１に記載の建物の壁構造。
【請求項３】
前記延出部材は屋外側に突出する梁材であり、前記止水部材は、前記梁材を囲む四辺の枠状に形成されていることを特徴とする請求項１又は２に記載の建物の壁構造。
【請求項４】
前記梁材は溝形鋼よりなり、
前記梁材の溝部には、前記凹所内となる位置において前記梁材の上下のフランジ部の間に溝埋め部材が設けられていることを特徴とする請求項３に記載の建物の壁構造。
【請求項５】
前記外壁部材は、上下方向に延びる中空部が形成された中空構造を有する壁面材よりなり、該壁面材は、前記中空部よりも外壁面側の外側壁肉部と前記中空部よりも背面側の内側壁肉部とを有しており、
前記壁面材において前記中空部よりも外壁面側では、前記外側壁肉部と前記延出部材との間に一次止水材が設けられ、前記中空部よりも背面側では、前記内側壁肉部の背面側に前記止水部材が二次止水材として設けられていることを特徴とする請求項１乃至４のいずれか１項に記載の建物の壁構造。
【請求項６】
複数の前記壁面材が上下に並べて配置され、それら壁面材の間の横目地に、上側の前記壁面材の背面から延び、かつ下端部が下側の前記壁面材の中空部に挿し入れられるようにして水切プレートが設けられる建物の壁構造であって、
前記延出部材は、その上面部が前記横目地に沿って配置されるものであり、
前記延出部材の上方に設けられる前記水切プレートは、前記上面部よりも幅広であって、その長手方向の両端部に、前記延出部材の左右の各壁面材の中空部に挿し入れられる挿入部がそれぞれ形成されるとともに、その両挿入部の間が切欠部になっていることを特徴とする請求項５に記載の建物の壁構造。
【請求項７】
複数の前記壁面材が左右に並べて配置され、その間に前記延出部材が設けられる建物に適用され、
前記複数の壁面材の間の縦目地にその長手方向に延びる縦目地止水材が設けられ、
前記縦目地において前記延出部材の下方となる位置には、前記止水部材と前記縦目地止水材とに接触した状態で繋ぎ止水材が設けられていることを特徴とする請求項５又は６に記載の建物の壁構造。
【請求項８】
前記繋ぎ止水材は、前記縦目地内において前後方向に延びる向きで設けられており、外壁背面側となる後側部に、前記止水部材の前面及び下端面に当接する後側当接部を有し、外壁面側となる前側部に、前記縦目地止水材の後面及び上端面に当接する前側当接部を有していることを特徴とする請求項７に記載の建物の壁構造。
【発明の詳細な説明】
【技術分野】
【０００１】
本発明は、建物の壁構造に関するものである。
【背景技術】
【０００２】
建物において、外壁部の外側に延出されるようにして梁材や板材といった延出部材を設ける構成が実用化されており、外壁部における梁材や板材の取付部分での止水構造について各種の提案がなされている。具体的には、外壁の目地内に弾力性を有する乾式目地止水材を配置するとともに、その目地止水材に貫通の切り込みを形成しておき、プレート等の貫通材を乾式目地止水材の切り込みに通すことで、貫通材の周囲の止水を行うようにしたものが知られている（例えば特許文献１）。
【先行技術文献】
【特許文献】
【０００３】
【特許文献１】特開２００５−２５６５０９号公報
【発明の概要】
【発明が解決しようとする課題】
【０００４】
しかしながら、上記のように乾式目地止水材の切り込みに貫通材を貫通させるものは、目地内に配設された状態の目地止水材に貫通材を通すものであるため、目地止水材の圧縮による負担が大きく、目地止水材が断絶されること等により、所望の止水性能が発揮できなくなることが懸念される。
【０００５】
また、建物の壁構造として、壁内部における雨水等の通過を許容しているものがあり、こうした壁構造の場合には、単に目地内での止水を行うだけでなく、雨水の流下経路を考慮した止水構造を構築する必要があり、技術改善の余地があると考えられる。例えば、コンクリート押出成形材よりなる中空構造の外壁材を用いる場合において、延出部材としてＨ形綱等の梁材を設けたり板材を横向きで設けたりすると、壁内の中空部を通って上方から流下してきた雨水が延出部材に到達した後に外壁材の背面側に流れ出てしまい、結果として屋内側への雨水の浸入が生じることが考えられる。
【０００６】
また、中空構造の外壁材以外においても、外壁部材として、サイディングボード等の外壁面材と、その背面側の軽鉄材からなる壁フレームとを有してなる複数の外壁パネル（外壁ユニット）を用いる場合には、隣り合う外壁パネルの間のフレーム間の隙間を雨水の流下経路とすることが考えられるが、かかる場合においてもやはり、延出部材に到達した雨水が外壁部材の背後に流れ出ることが懸念される。
【０００７】
本発明は、上記事情に鑑みてなされたものであり、外壁部から延出部材が延出して設けられる建物において適正なる止水性能を付加することができる建物の壁構造を提供することを主たる目的とするものである。
【課題を解決するための手段】
【０００８】
以下、上記課題を解決するのに有効な手段等につき、必要に応じて作用、効果等を示しつつ説明する。なお以下においては、理解の容易のため、発明の実施の形態において対応する構成の符号を括弧書き等で適宜示すが、この括弧書き等で示した具体的構成に限定されるものではない。
【０００９】
第１の発明は、
壁部において複数の外壁部材（２５）が上下又は左右の少なくともいずれかに並べて配置され、それら外壁部材の間を通して、前記外壁部材の外壁面に交差する方向に延びるようにして延出部材（２１，２３）が設けられており、前記壁部において壁内部となる位置で水の流下が可能となっている建物の壁構造であって、
前記外壁部材には、前記延出部材が配置される凹所（２８）が形成され、
前記延出部材には、該延出部材を囲む周囲部分に止水部材（６０）が取り付けられ、
前記延出部材が前記凹所に配置された状態において、前記止水部材が、前記外壁部材の背面の側に当接した状態で設けられていることを特徴とする。
【００１０】
上記構成によれば、外壁部材に形成された凹所に延出部材が配置され、これにより、延出部材が外壁部材の外壁面に交差する方向に延びるように設けられている。また、建物の壁部では壁内部となる位置で水（雨水等）の流下が可能となっており、その壁内部を流下した水が延出部材に達した場合には、延出部材の周囲において外壁部材の背面の側に当接して設けられた止水部材により、外壁部材の背後への水の漏れ出しが防止されるようになっている。これにより、壁内部を流下してきた水が意図せず外壁部材の背面側に流れ出てしまうことを抑制できる。その結果、外壁部から延出部材が延出して設けられる建物において適正なる止水性能を付加することができる。
【００１１】
第２の発明は、前記延出部材において前記外壁部材の背後側となる位置には、前記延出部材の周囲に向けて起立する起立部（５８）が設けられており、前記止水部材は、前記外壁部材の背面と前記起立部とに挟まれた状態で設けられていることを特徴とする。
【００１２】
上記構成では、止水部材は、延出部材に一体的に設けられた起立部と外壁部材の背面とに挟まれた状態で設けられており、止水部材を外壁部材の背面に対して押しつけることが可能となっている。したがって、外壁部材の背面側での止水を行う上で好適な構成を実現できる。
【００１３】
第３の発明は、前記延出部材は屋外側に突出する梁材（２１）であり、前記止水部材は、前記梁材を囲む四辺の枠状に形成されていることを特徴とする。
【００１４】
建物において屋外側に突出させて延出部材として梁材が設けられている構成では、その梁材の周囲に、梁材の梁幅及び梁せいに応じた大きさの目地が形成される。この場合、梁材を囲む四辺の枠状に止水部材が形成されているため、梁形状や、梁幅及び梁せいに対応させつつ好適なる止水を実現できる。
【００１５】
第４の発明は、前記梁材は溝形鋼よりなり、前記梁材の溝部には、前記凹所内となる位置において前記梁材の上下のフランジ部の間に溝埋め部材（５７）が設けられていることを特徴とする。
【００１６】
梁材が溝形鋼により構成されている場合には溝部が屋外側に開放されることになるが、溝埋め部材を設けることにより凹所内において溝部が封鎖される。これにより、その溝埋め部材の周囲に止水部材を設ければよいことになり、梁材の溝形状に関係なく、止水構造を単純形状にて実現できる。
【００１７】
第５の発明は、前記外壁部材は、上下方向に延びる中空部（３８ａ）が形成された中空構造を有する壁面材（２５）よりなり、該壁面材は、前記中空部よりも外壁面側の外側壁肉部（３８ｂ）と前記中空部よりも背面側の内側壁肉部（３８ｃ）とを有しており、前記壁面材において前記中空部よりも外壁面側では、前記外側壁肉部と前記延出部材との間に一次止水材（５４，５５）が設けられ、前記中空部よりも背面側では、前記内側壁肉部の背面側に前記止水部材が二次止水材として設けられていることを特徴とする。
【００１８】
中空構造の壁面材を用いる場合において、壁面材の中空部よりも外壁面側では、外側壁肉部と延出部材との間に一次止水材が設けられ、中空部よりも背面側では、内側壁肉部の背面側に二次止水材（止水部材）が設けられている。この場合、中空部を挟んで一次止水材と二次止水材とがそれぞれ設けられることで、延出部材の周囲にその延出部材を迂回しつつその上側と下側とを繋ぐ水の流下経路が形成できる。これにより、外壁の目地部分に梁等の延出部材が存在していても、所望の止水性能を確保できる。
【００１９】
第６の発明は、複数の前記壁面材が上下に並べて配置され、それら壁面材の間の横目地（２６）に、上側の前記壁面材の背面から延び、かつ下端部が下側の前記壁面材の中空部に挿し入れられるようにして水切プレート（４２，６５）が設けられる建物の壁構造であって、前記延出部材は、その上面部が前記横目地に沿って配置されるものであり、前記延出部材の上方に設けられる前記水切プレート（６５）は、前記上面部よりも幅広であって、その長手方向の両端部に、前記延出部材の左右の各壁面材の中空部に挿し入れられる挿入部（６５ｂ）がそれぞれ形成されるとともに、その両挿入部の間が切欠部（６５ｃ）になっていることを特徴とする。
【００２０】
横目地には、下端部が下側の壁面材の中空部に挿し入れられるようにして水切プレートが設けられるが、その横目地に延出部材の上面部が存在している場合には、延出部材が設けられる位置でのプレート下端部の挿し入れができなくなる。この点、上記のとおり、延出部材の上方に設けられる水切プレートは、延出部材の上面部よりも幅広であって、その長手方向の両端部に、延出部材の左右の各壁面材の中空部に挿し入れられる挿入部がそれぞれ形成されるとともに、その両挿入部の間が切欠部になっているため、横目地に延出部材が存在する構成にあっても水切プレートの配設が可能であり、延出部材の存否に関係なく所望の水切性能を確保できる。
【００２１】
第７の発明は、複数の前記壁面材が左右に並べて配置され、その間に前記延出部材が設けられる建物に適用され、前記複数の壁面材の間の縦目地（２７）にその長手方向に延びる縦目地止水材（５６）が設けられ、前記縦目地において前記延出部材の下方となる位置には、前記止水部材と前記縦目地止水材とに接触した状態で繋ぎ止水材（６７）が設けられていることを特徴とする。
【００２２】
延出部材の下方の縦目地においては、その縦目地内に設けられた繋ぎ止水材により、延出部材の周囲の止水部材と縦目地止水材とが連続しており、延出部材の周囲を伝って流下する雨水等は縦目地（特に縦目地止水材の屋内側）に浸入せずに、いずれかの壁内中空部に流れ込むことになる。この場合、壁面材自体はコンクリート等により成型されるものであって、その中空部における水漏れは極めて生じにくいと考えられる。そのため、延出部材の周囲を伝って流下する雨水等を、縦目地ではなく中空部に流れ込ませることにより、延出部材の下方における適正なる止水を実現できる。
【００２３】
第８の発明は、前記繋ぎ止水材は、前記縦目地内において前後方向（壁厚み方向）に延びる向きで設けられており、外壁背面側となる後側部に、前記止水部材の前面及び下端面に当接する後側当接部（６７ｂ）を有し、外壁面側となる前側部に、前記縦目地止水材の後面及び上端面に当接する前側当接部（６７ａ）を有していることを特徴とする。
【００２４】
繋ぎ止水材として、上記のとおりの後側当接部及び前側当接部を有する構成であれば、繋ぎ止水材を止水部材及び縦目地止水材に対してそれぞれに確実に接触させ、ひいては縦目地における止水性能を高めることができる。
【図面の簡単な説明】
【００２５】
【図１】建物の外観を示す斜視図。
【図２】外壁部に取り付けられたあらわし梁とブレース受け金物とを示す斜視図。
【図３】図２のＡ−Ａ線断面図。
【図４】図２のＢ−Ｂ線断面図。
【図５】あらわし梁等を示す斜視図。
【図６】二次止水材を示す斜視図。
【図７】水切プレートを示す斜視図。
【図８】縦目地繋ぎ役物を示す斜視図。
【図９】壁構造を分解して示す斜視図。
【図１０】あらわし梁及びブレース受け金物を下側外壁材に取り付けた状態を示す斜視図。
【図１１】縦目地繋ぎ役物の取付状態を示す斜視図。
【図１２】壁内部における水の流れを示す図。
【図１３】壁構造の変形例を示す斜視図。
【図１４】壁構造の変形例を示す斜視図。
【図１５】外壁材の配置パターンと延出部材との主な組み合わせを示す図。
【発明を実施するための形態】
【００２６】
以下、本発明を具体化した一実施形態を図面に基づいて説明する。本実施形態では、鉄骨軸組工法により構築される多層階建て建物において、その外壁部の構造について詳しく説明する。
【００２７】
図１は、建物１０の外観を示す斜視図である。建物１０では、二階部分の一部が天井無し空間である吹抜け部１１となっており、吹抜け部１１の横の二階本体部１２の屋根部１３は平屋根となっている。屋根部１３の周縁部分には平坦部を囲むようにしてパラペット１４が設けられている。
【００２８】
吹抜け部１１は、二階本体部１２の外壁部１５と立ち壁部１６との間に設けられ、それら両者に架け渡してあらわし梁２１とあらわしブレース２２とが設けられている。本実施形態では、あらわし梁２１と、あらわしブレース２２を固定するブレース受け金物２３とが延出部材に相当する。あらわし梁２１はＨ形鋼、ブレース受け金物２３は鋼板よりなり、それらは、外壁部１５及び立ち壁部１６において互いに横並びとなる位置に設けられている。
【００２９】
図２は、外壁部１５に取り付けられたあらわし梁２１とブレース受け金物２３とを示す斜視図である。外壁部１５は、上下及び左右に複数の外壁材２５が並べて配置されることで構成されており、それら各外壁材２５の外壁面に交差する向きに延びるようにしてあらわし梁２１とブレース受け金物２３とが設けられている。各外壁材２５は、二階天井部のスラブラインＳＬを境にして上側の外壁材２５と下側の外壁材２５とに区別することができ、本実施形態では上側の外壁材２５を「上側外壁材２５Ａ」、下側の外壁材２５を「下側外壁材２５Ｂ」とも言うこととする。本実施形態では、外壁材２５として、コンクリート押出成形材からなる外壁材を用いており、その厚さ方向の中間部には上下方向に延びる中空部３８ａが形成されている（図３参照）。
【００３０】
上側外壁材２５Ａと下側外壁材２５Ｂとの間には横目地２６が形成されている。また、あらわし梁２１の取付位置においては、上側外壁材２５Ａ及び下側外壁材２５Ｂのそれぞれの側に縦目地２７が形成されている。
【００３１】
あらわし梁２１とブレース受け金物２３とは、あらわし梁２１の上側フランジとブレース受け金物２３とが水平方向に同一平面上で並ぶようして、図示しない固定金具により互いに連結されている。そして、下側外壁材２５Ｂには、あらわし梁２１及びブレース受け金物２３の形状及び大きさに合わせて凹所としての切欠部２８が形成されており、外壁部１５においては、切欠部２８から延びるようにしてあらわし梁２１及びブレース受け金物２３が取り付けられている。
【００３２】
なお、あらわし梁２１の上側フランジ２１ａとブレース受け金物２３の上面部とが、外壁材２５の下端部に対向する上面部に相当し、この上面部が横目地２６に沿って配置されている。また、あらわし梁２１の下側フランジ２１ｂとブレース受け金物２３の下面部とが、外壁材２５の上端部に対向する下面部に相当する。
【００３３】
なお、図示による説明は省略するが、立ち壁部１６側のあらわし梁２１とブレース受け金物２３とについても概ね同様の構造となっている。
【００３４】
以下に、外壁部１５における壁構造及び止水構造について詳しく説明する。ここでまずは、あらわし梁２１及びブレース受け金物２３とは異なる場所の壁構造及び止水構造を図３の断面図を用いて説明する。図３は、図２のＡ−Ａ線断面図である。
【００３５】
図３において、天井梁３１はＨ形鋼よりなり、その天井梁３１の上側フランジには、梁上受け部材３２がボルト、ナット等の固定具３３により固定されている。また、梁上受け部材３２の外壁材側の先端部には壁支持部材３４が溶接等により固定されており、その壁支持部材３４により上側外壁材２５Ａが支持されている。その支持構造については周知であるため詳細な説明は割愛するが、略述すると、壁支持部材３４はＬ形のアングル材よりなり、鉛直部を上側外壁材２５Ａの背面側、水平部を上側外壁材２５Ａの下面側に配置させ、その状態で壁支持部材３４の鉛直部と上側外壁材２５Ａとを、取付金具３５及び固定具３６を用いて互いに固定させるようにしている。
【００３６】
ここで、外壁材２５は、上下方向に延びる中空部３８ａが形成された中空構造を有するものであり、その中空部３８ａを挟んで外壁面側が外側壁肉部３８ｂ、背面側が内側壁肉部３８ｃとなっている。中空部３８ａは、外側壁肉部３８ｂと内側壁肉部３８ｃとを繋ぐ中間繋ぎ部で分断される複数の空間部により構成されている（図９参照）。外側壁肉部３８ｂの表面は、上下、左右方向に凹凸（彫り）が付された凹凸部となっている。取付金具３５による外壁材２５の取り付けは、中空部３８ａを用いて行われるようになっている。外壁材２５においては中空部３８ａを通じて水（雨水等）の流下が可能となっている。
【００３７】
なお、下側外壁材２５Ｂの支持構造については図示を略すが、基本構成は上側外壁材２５Ａと同じであり、梁下受け部材や壁支持部材（アングル材）、取付金具、固定具を用いて、天井梁３１に対して下側外壁材２５Ｂが固定されるようになっている。図３において、符号３９は、天井梁３１の上面に載置された天井面材である。
【００３８】
上側外壁材２５Ａと下側外壁材２５Ｂとの間の横目地２６には、湿式の止水部材よりなる一次止水材４１（コーキング材による不定形シール）と、上側外壁材２５Ａの背面と壁支持部材３４との間に挟んで取り付けられ、下端部が下側外壁材２５Ｂの中空部３８ａに挿し入れられる水切プレート４２と、一次止水材４１と水切プレート４２との間に設けられる一次バッカー４３とが設けられている。この場合、水切プレート４２は、壁面方向（横方向）に延びる長尺材よりなり、上側外壁材２５Ａの中空部３８ａ内を流下する雨水等が、上下の外壁材２５Ａ，２５Ｂにおける内側壁肉部３８ｃの間を通じて下側外壁材２５Ｂの背面側に浸入することを防止する役目を有する。また、一次バッカー４３は、水切プレート４２に当接する当接面側に凹凸が形成されて波形状となっており（図示は略す）、その凹み部を通じて、上側外壁材２５Ａの中空部３８ａ内を流下する雨水等を下側外壁材２５Ｂの中空部３８ａ内に案内する役目を有するものである。
【００３９】
次に、あらわし梁２１及びブレース受け金物２３の取付部分の構造を図４の断面図を用いて説明する。図４は、図２のＢ−Ｂ線断面図である。
【００４０】
図４において、天井梁３１には、仕口部材５１によりあらわし梁２１が連結されている。仕口部材５１はあらわし梁２１の端部に溶接により固定される鋼鉄材であり、この仕口部材５１がボルト、ナット等の固定具５２により天井梁３１に固定されることで、天井梁３１に直交する向きであらわし梁２１が固定されるようになっている。
【００４１】
あらわし梁２１の上面と上側外壁材２５Ａ（外側壁肉部３８ｂ）の下端面との間、及びあらわし梁２１の下面と下側外壁材２５Ｂ（外側壁肉部３８ｂ）の下端面との間には、湿式の止水部材よりなる一次止水材５４，５５が設けられている。なお、このうち上側の一次止水材５４は、水平方向において図３の一次止水材４１に連続して設けられている。
【００４２】
また、各外壁材２５Ａ，２５Ｂの縦目地２７には、縦目地止水材としての長尺状の縦目地用ガスケット５６が取り付けられている。なお、縦目地用ガスケット５６よりも外側（外壁面側）には、横目地部分と同様に一次止水材が設けられているが、便宜上、図示を略している。
【００４３】
また、あらわし梁２１及びブレース受け金物２３の一体物には、あらわし梁２１の溝部（上下のフランジ間の溝部）を埋める溝埋め部材５７が取り付けられるとともに、外方へ起立する起立部としての外周フランジ５８が取り付けられている。図５は、あらわし梁２１及びブレース受け金物２３の一体物に、溝埋め部材５７と外周フランジ５８とを取り付けた状態を示す斜視図である。埋める溝埋め部材５７は、Ｈ形鋼のウエブを挟んで両側の溝部にそれぞれ設けられ、板材が溶接等により接合されて構成されている。外周フランジ５８は、あらわし梁２１及びブレース受け金物２３に対して全周を囲むようにして取り付けられている。
【００４４】
あらわし梁２１及びブレース受け金物２３に取り付けられた外周フランジ５８は、外壁材２５Ａ，２５Ｂが取り付けられた状態でそれらの背面に対して所定距離Ｌ１だけ離間する位置に設けられており、外周フランジ５８と外壁材２５Ａ，２５Ｂの背面との間には二次止水材６０が取り付けられている。二次止水材６０は、例えば弾性変形が可能な発泡ゴム材料により構成されており、あらわし梁２１及びブレース受け金物２３を囲む周囲部分に取り付けられている。所定距離Ｌ１は、二次止水材６０の厚さ寸法（自然状態の厚さ）と同じか、又はそれよりも小さい寸法である。
【００４５】
図６は、二次止水材６０を示す斜視図である。二次止水材６０は、あらわし梁２１を囲む部位である第１部分６１と、ブレース受け金物２３を囲む部位である第２部分６２とを有している。このうち特に、第１部分６１は、あらわし梁２１を囲む四辺の枠状に形成されている。二次止水材６０は、あらわし梁２１及びブレース受け金物２３の一体物について全周の取り囲みが可能となるように略環状に形成されるが、その一体物に対して装着を容易にすべく、少なくとも一カ所が切断されて構成されている（図のＸ）。この場合、端面同士が突き当てられるようになっている。
【００４６】
二次止水材６０は、外周フランジ５８に対面する背面側と、あらわし梁２１（埋める溝埋め部材５７を含む）及びブレース受け金物２３に対面する内面側との少なくともいずれかを接着面とし、その接着面にて外周フランジ５８に対して接合されているとよい。
【００４７】
あらわし梁２１及びブレース受け金物２３の上方には、水切プレート６５が設けられている。図７は水切プレート６５の斜視図である。水切プレート６５は、上側外壁材２５Ａの背面及び下面に沿って延びる壁沿い板部６５ａと、あらわし梁２１及びブレース受け金物２３の側方（図４においてはこれらの一体物の手前側及び奥側）で下側外壁材２５Ｂの中空部３８ａに挿し入れられる２つの挿入部６５ｂとを有しており、２つの挿入部６５ｂの間が切欠部６５ｃとなっている。この場合、水切プレート６５の長手方向の幅は、あらわし梁２１及びブレース受け金物２３の一体物の幅よりも大きく、その寸法が余剰となる部位（長手方向の両端部）に２つの挿入部６５ｂが設けられている。
【００４８】
なお、水切プレート６５は、その基本形状は図３中に示される水切プレート４２と同じであるが、下側部分（中空部への挿入部分）においてあらわし梁２１及びブレース受け金物２３との干渉を回避する切欠部６５ｃが形成されている点が、図３の水切プレート４２と相違している。
【００４９】
二次止水材６０は、外周フランジ５８と外壁材２５Ａ，２５Ｂの背面とに挟まれた状態で取り付けられるものであるが、上側部分だけは外周フランジ５８と水切プレート６５とに挟まれた状態で取り付けられている。
【００５０】
また、下側外壁材２５Ｂの縦目地２７においてあらわし梁２１の下側には、二次止水材６０と縦目地用ガスケット５６との間となる位置に繋ぎ止水材としての縦目地繋ぎ役物６７が取り付けられている。図８は縦目地繋ぎ役物６７の斜視図である。縦目地繋ぎ役物６７は、全体として略Ｓ字状に形成され、縦目地２７内において前後方向（壁厚み方向）に延びる向きで設けられている。縦目地繋ぎ役物６７は、縦目地用ガスケット５６の後面及び上端面に当接する外側当たり部６７ａと、二次止水材６０の前面及び下端面に当接する内側当たり部６７ｂとを有している。外側当たり部６７ａが、外壁面側となる前側部に設けられる前側当接部であり、内側当たり部６７ｂが、外壁背面側となる後側部に設けられる後側当接部である。この場合、外側当たり部６７ａの下面は内側当たり部６７ｂよりも高い位置にあり、すなわち縦目地用ガスケット５６と二次止水材６０とは上下方向において重複する位置に存在することになる。縦目地繋ぎ役物６７によれば、あらわし梁２１及びブレース受け金物２３の周囲部分を伝って下方に流れる雨水等は、縦目地２７において縦目地用ガスケット５６の背後に流れ込むことが抑止され、下側外壁材２５Ｂの中空部３８ａのいずれかに流れ込むこととなる。そして、その雨水等は、中空部３８ａを流れた後に屋外に排出される。
【００５１】
次に、あらわし梁２１及びブレース受け金物２３の取付部分における壁構造の施工手順について説明する。図９は、上下の外壁材２５Ａ，２５Ｂと、あらわし梁２１及びブレース受け金物２３（止水部材付き）とを分解して示す分解斜視図である。
【００５２】
図９において、下側外壁材２５Ｂには、あらわし梁２１及びブレース受け金物２３を収容する切欠部２８が形成されている。図９の下側外壁材２５Ｂは、建物１０の躯体（天井梁３１）に固定された状態で示されており、切欠部２８が形成されていない部分には、下側外壁材２５Ｂの上端部の上方に、上側外壁材２５Ａを支持するための壁支持部材３４が存在するものとなっている。
【００５３】
下側外壁材２５Ｂの切欠部２８に対しては、後端部に二次止水材６０が取り付けられた状態のあらわし梁２１及びブレース受け金物２３が配置される。そして、天井梁３１に対してあらわし梁２１が固定される。その後、下側外壁材２５Ｂの上方に水切プレート４２が配置されるととともに、あらわし梁２１及びブレース受け金物２３の上方に水切プレート６５が配置される。その状態が図１０に示す状態である。このとき、水切プレート６５は、その左右の水切プレート４２に一部重ねて配置され、２つの挿入部６５ｂが下側外壁材２５Ｂの中空部３８ａに挿し入れられる。
【００５４】
また、下側外壁材２５Ｂの縦目地２７においてあらわし梁２１の下側には、外壁面側から縦目地繋ぎ役物６７が取り付けられる。その取り付けられた状態が図１１に示す状態である。そして、縦目地繋ぎ役物６７の取り付け後に、縦目地用ガスケット５６が取り付けられる。
【００５５】
そしてその後、上側外壁材２５Ａが取り付けられ、上側外壁材２５Ａの縦目地２７に縦目地用ガスケット５６が取り付けられる。上側外壁材２５Ａの取り付け後には、横目地２６及び縦目地２７においてコーキング処理により一次止水材４１等が形成される。
【００５６】
図１２は、外壁部１５を正面から見た状態において壁内部における水の流れを示す図である。図１２では、上側外壁材２５Ａの中空部３８ａを流下する雨水等はあらわし梁２１及びブレース受け金物２３の周囲部分を通過して下方に流れる。そして、下側外壁材２５Ｂの中空部３８ａに入ってさらに下方に流下するようになっている。
【００５７】
以上詳述した本実施形態によれば、以下の優れた効果が得られる。
【００５８】
建物１０の外壁部では壁内部となる位置で水（雨水等）の流下が可能となっており、その壁内部を流下した水があらわし梁２１及びブレース受け金物２３に達した場合には、その周囲に設けられた二次止水材６０により、外壁材２５の背後への水の漏れ出しが防止されるようになっている。これにより、壁内部を流下してきた水が意図せず外壁材２５の背面側に流れ出てしまうことを抑制できる。その結果、外壁部にあらわし梁２１やブレース受け金物２３が延出して設けられる建物において適正なる止水性能を付加することができる。
【００５９】
二次止水材６０を、あらわし梁２１及びブレース受け金物２３に一体的に設けられた外周フランジ５８と、外壁材２５Ａ，２５Ｂの背面とに挟まれた状態で設ける構成にした。これにより、二次止水材６０を外壁材２５Ａ，２５Ｂの背面に対して押しつけることが可能となっており、外壁材２５Ａ，２５Ｂの背面側での止水を行う上で好適な構成を実現できる。
【００６０】
あらわし梁２１を囲む四辺の枠状に二次止水材６０を形成したため、あらわし梁２１の形状や、梁幅及び梁せいに対応させつつ好適なる止水を実現できる。
【００６１】
あらわし梁２１が溝形鋼により構成されている場合には溝部が屋外側に開放されることになるが、溝埋め部材５７を設けることにより切欠部２８内において溝部が封鎖される。これにより、その溝埋め部材５７の周囲に二次止水材６０を設ければよいことになり、あらわし梁２１の溝形状に関係なく、止水構造を単純形状にて実現できる。
【００６２】
中空構造の外壁材２５を用いる場合において、外壁材２５の中空部３８ａよりも外壁面側には、外側壁肉部３８ｂとあらわし梁２１及びブレース受け金物２３との間に一次止水材５４，５５を設け、中空部３８ａよりも背面側には、内側壁肉部３８ｃの背面側に二次止水材６０を設ける構成とした。この場合、中空部３８ａを挟んで一次止水材５４，５５と二次止水材６０とがそれぞれ設けられることで、あらわし梁２１及びブレース受け金物２３の周囲にそれを迂回しつつその上側と下側とを繋ぐ水の流下経路が形成できる。これにより、外壁の目地部分にあらわし梁２１等が存在していても、所望の止水性能を確保できる。
【００６３】
横目地２６には、下端部が下側外壁材２５Ｂの中空部３８ａに挿し入れられるようにして水切プレート４２，６５が設けられるが、その横目地２６にあらわし梁２１及びブレース受け金物２３の上面部が存在している場合には、これらあらわし梁２１及びブレース受け金物２３によってプレート下端部の挿し入れができなくなる。この点、あらわし梁２１及びブレース受け金物２３の上方に設けられる水切プレート６５は、あらわし梁２１及びブレース受け金物２３の上面部よりも幅広であって、その長手方向の両端部に、左右の各外壁材２５Ｂの中空部３８ａに挿し入れられる挿入部６５ｂがそれぞれ形成されるとともに、その両挿入部６５ｂの間が切欠部６５ｃになっている。そのため、横目地２６にあらわし梁２１及びブレース受け金物２３が存在する構成にあっても水切プレート６５の配設が可能であり、あらわし梁２１及びブレース受け金物２３の存否に関係なく所望の水切性能を確保できる。
【００６４】
あらわし梁２１及びブレース受け金物２３の下方の縦目地２７においては、その縦目地２７内に設けられた縦目地繋ぎ役物６７により、あらわし梁２１及びブレース受け金物２３の周囲の二次止水材６０と縦目地用ガスケット５６とが連続しており、あらわし梁２１及びブレース受け金物２３の周囲を伝って流下する雨水等は縦目地２７（特に縦目地用ガスケット５６の屋内側）に浸入せずに、いずれかの壁内中空部３８ａに流れ込むことになる。この場合、外壁材自体はコンクリート等により成型されるものであって、その中空部３８ａにおける水漏れは極めて生じにくいと考えられる。そのため、あらわし梁２１及びブレース受け金物２３の周囲を伝って流下する雨水等を、縦目地２７ではなく中空部３８ａに流れ込ませることにより、あらわし梁２１及びブレース受け金物２３の下方における適正なる止水を実現できる。
【００６５】
縦目地繋ぎ役物６７として、図８に示すとおりの外側当たり部６７ａ及び内側当たり部６７ｂを有する構成であれば、縦目地繋ぎ役物６７を二次止水材６０及び縦目地用ガスケット５６に対してそれぞれに確実に接触させ、ひいては縦目地２７における止水性能を高めることができる。
【００６６】
［他の実施形態］
本発明は上記実施形態の記載内容に限定されず、例えば次のように実施されてもよい。
【００６７】
・壁構造について変形例を図１３及び図１４に示す。図１３は、延出部材としてあらわし梁２１を用いる構成において、そのあらわし梁２１のみを外壁面から張り出すように設けるものである。この場合、左右に並ぶ２つの外壁材２５において、その上端部と下端部との間の側面部に矩形状の切欠部２８がそれぞれ形成されている。つまり、あらわし梁２１の周囲に設けられる外壁材２５は、左右方向の並べて設けられるもののみとなっている。また、あらわし梁２１には、溝埋め部材５７と外周フランジ５８とが取り付けられており、外周フランジ５８に二次止水材６０が取り付けられている。本構成では、二次止水材６０は縦長矩形状をなしている。
【００６８】
また、図１４は、延出部材としてブレース受け金物２３を用いる構成においてそのブレース受け金物２３のみを外壁面から張り出すように設けるものである。図示の構成では、特に入隅部に設けられる構成となっている。この場合、左右に並ぶ２つの外壁材２５において、その上端部と下端部との間の側面部に矩形状の切欠部２８がそれぞれ形成されている。なお、入隅部を構成する２つの外壁材２５は、一方が勝ち、他方が負けとなる納まりとなっており、それ故に一方の外壁材２５の切欠部２８の寸法（左右方向の凹所深さ）が、他方の外壁材２５の切欠部２８の寸法よりも大きくなっている。また、ブレース受け金物２３には外周フランジ５８が取り付けられており、外周フランジ５８に二次止水材６０が取り付けられている。本構成では、二次止水材６０は、左右方向に延びる長尺材を上下に重ねるようにして構成されている。
【００６９】
・外壁材の配置パターンと延出部材（あらわし梁２１、ブレース受け金物２３）との主な組み合わせを図１５に示す。図１５（ａ）〜（ｃ）は、上下及び左右に配置された４枚の外壁材により横目地及び縦目地が形成され、その横目地及び縦目地に延出部材が設けられる場合の構成である。また、図１５（ｄ）〜（ｆ）は、左右に配置された２枚の外壁材により縦目地が形成され、その縦目地に延出部材が設けられる場合の構成である。図１５（ｇ）〜（ｈ）は、上下に配置された２枚の外壁材により横目地が形成され、その横目地に延出部材が設けられる場合の構成である。
【００７０】
・上記実施形態では、中空構造の外壁部材（外壁材２５）を用いる構成について説明したが、これ以外の外壁部材を用いる場合にも本発明の適用が可能である。具体的には、外壁部材が、軽量鉄骨材である軽溝形鋼よりなる下地フレームと、その下地フレームに固定される窯業系サイディングボード等の外壁材（壁面材）とにより構成される外壁パネル（外壁ユニット）であってもよい。下地フレームは、横材である複数のランナと、縦材である複数のスタッドとが溶接等により互いに固定されることで構成されている。
【００７１】
上記構成の外壁パネルを用いる場合には、隣り合う外壁パネルのフレーム同士の間の隙間部分において壁内部での水の流下を行わせることが可能である。そして、既述のように外壁パネルに凹所（切欠部）を形成するとともに、あらわし梁２１の周りに二次止水材６０を設ける等の構成を付加することで、所望の止水性能を実現することができる。
【００７２】
・梁材として用いられる溝形鋼は、Ｈ形綱以外の鋼材でもよく、例えばＣ形綱であってもよい。その他に木質の角材でもよい。
【００７３】
・あらわし梁は、その張り出し部分において梁材自体が露出しているものに限られず、梁材の周囲に化粧板が取り付けられているものであってもよい。
【００７４】
・上記実施形態では、鉄骨軸組工法により構築される建物について説明したが、これに限定されず、他の工法の建物にも適用できる。例えば、鉄骨ラーメン工法で構築されたユニット式建物や、木造在来工法で構築された建物にも適用できる。
【符号の説明】
【００７５】
１０…建物、２１…あらわし梁（延出部材、梁材）、２２…あらわしブレース、２３…ブレース受け金物（延出部材）、２５…外壁材（外壁部材）、２６…横目地、２７…縦目地、２８…切欠部（凹所）、３８ａ…中空部、３８ｂ…外側壁肉部、３８ｃ…内側壁肉部、４２…水切プレート、５４，５５…一次止水材、５８…外周フランジ、６０…二次止水材（止水部材）、６５…水切プレート、６５ｂ…挿入部、６５ｃ…切欠部、６７…縦目地繋ぎ役物（繋ぎ止水材）、６７ａ…外側当たり部（前側当接部）、６７ｂ…内側当たり部（後側当接部）。
【図１】
2015094157.tif 000003
【図２】
2015094157.tif 000004
【図３】
2015094157.tif 000005
【図４】
2015094157.tif 000006
【図５】
2015094157.tif 000007
【図６】
2015094157.tif 000008
【図７】
2015094157.tif 000009
【図８】
2015094157.tif 000010
【図９】
2015094157.tif 000011
【図１０】
2015094157.tif 000012
【図１１】
2015094157.tif 000013
【図１２】
2015094157.tif 000014
【図１３】
2015094157.tif 000015
【図１４】
2015094157.tif 000016
【図１５】
2015094157.tif 000017